(57)【要約】【課題】噴霧ノズル管と噴霧機本体のポンプとを接続するホースと、噴霧ノズル管のスイッチと噴霧機本体のモータとを接続する電線とが一体的に束ねられている噴霧機において、電線が損傷するのを防止することができる噴霧機を提供する。【解決手段】薬剤タンクとポンプとモータと電池とを含む噴霧機本体と、噴霧ノズル管２１と、この噴霧ノズル管２１とポンプとを接続するホース３２と、噴霧ノズル管２１に設けられモータの駆動を入り切りするスイッチ３５と、このスイッチ３５とモータとを接続する電線３６とを備え、ホース３２と電線３６とが一体的に束ねられている噴霧機であって、噴霧機本体と噴霧ノズル管２１との間に、ワイヤ５１がホース３２および電線３６と一体的に束ねられかつホース３２および電線３６より短い長さに設けられている。【選択図】      図１
2004267883.tif 000002
【特許請求の範囲】
【請求項１】
薬剤タンク（１）とこの薬剤タンク（１）の薬液を圧送するポンプとこのポンプを駆動するモータとこのモータの電源としての電池とを含む噴霧機本体（７）と、前記ポンプから圧送された薬液を噴霧する噴霧ノズル管（２１）と、この噴霧ノズル管（２１）と前記ポンプとを接続するホース（３２）と、前記噴霧ノズル管（２１）に設けられ前記モータの駆動を入り切りするスイッチ（３５）と、このスイッチ（３５）と前記モータとを接続する電線（３６）とを備え、前記ホース（３２）と前記電線（３６）とが一体的に束ねられている噴霧機であって、前記噴霧機本体（７）と前記噴霧ノズル管（２１）との間に、線状部材（５１）が前記ホース（３２）および前記電線（３６）と一体的に束ねられかつ前記ホース（３２）および前記電線（３６）より短い長さに設けられていることを特徴とする噴霧機。
【請求項２】
前記ホース（３２）、前記電線（３６）および前記線状部材（５１）は、管状のホースカバー（４５）内に格納されていることを特徴とする請求項１に記載の噴霧機。
【請求項３】
前記線状部材（５１）は、前記噴霧機本体（７）に自由に動けるように連結されていることを特徴とする請求項１または請求項２に記載の噴霧機。
【発明の詳細な説明】
【０００１】
【発明の属する技術分野】
本発明は、噴霧機に関する。
【０００２】
【従来の技術】
従来、例えば、図５乃至図７に示す噴霧機が知られている（例えば、特許文献１参照）。
図５および図６に示すように、この噴霧機は、合成樹脂製の薬剤タンク１を備えている。この薬剤タンク１の上部中央には蓋２が設けられている。また、薬剤タンク１の背面側の下部寄りの部分には、凹部（図示せず）が形成されており、この凹部内には、ポンプ（図示せず）、このポンプを駆動するモータ（図示せず）およびこのモータに電気を供給する電池（図示せず）が設置されている。これらの薬剤タンク１、ポンプ、モータおよび電池は、噴霧機本体７を構成している。
【０００３】
薬剤タンク１の背面には、前記凹部の背面側を覆う背当て１２が取り付けられている。また、薬剤タンク１の背面側の一方の角部の下部寄りには、Ｌ字板状のブラケット１４が取り付けられており、このブラケット１４には、ポンプの圧力調整用のレバー１５が取り付けられている。また、ブラケット１４には、ポンプの吐出口に一端部が接続されたホースが内蔵された噴霧ホース１８が挿通されており、この噴霧ホース１８の他端は噴霧ノズル管２１に接続されている。噴霧ノズル管２１は、ランス２２の基端部および先端部にそれぞれ、グリップ２３およびノズル２４が取り付けられて成る。
【０００４】
図７に示すように、グリップ２３には、一端部を回動自在に固定されたレバー２５が取り付けられている。また、グリップ２３には、このグリップ２３内の薬液通路２６を閉塞可能な弁２７を備えた弁棒２８が取り付けされている。この弁棒２８は、弁２７が薬液通路２６を閉塞するように、圧縮コイルばね（付勢手段）２９により付勢されており、このとき、弁棒２８の圧縮コイルばね２９と反対側の端部は、グリップ２３から外方に突出して、レバー２５の内側面に対向している。そして、レバー２５を握ることにより、圧縮コイルばね２９の付勢力に抗して弁棒２８が押し込まれて、弁２７が薬液通路２６を開放するようになっている。レバー２５を放すと、圧縮コイルばね２９の付勢力により、弁棒２８がレバー２５側に向かって移動し、弁２７が薬液通路２６を閉塞する。
【０００５】
また、グリップ２３には、薬液通路２６に接続するようにして、ホース継手３１の一端部が螺合されており、このホース継手３１の他端部には、ポンプの吐出口に一端部が接続されたホース３２の他端部がホースバンド３３によって固定されている。したがって、ホース継手３１を介して、ホース３２と薬液通路２６とが接続されている。
【０００６】
また、グリップ２３には、スイッチ３５が設けられている。このスイッチ３５と噴霧機本体７のモータとは電線（ハーネス）３６により接続されている。このスイッチ３５は、レバー２５を握ることにより、レバー２５に設けられた押圧部３７でその操作部３８が押されて、モータが駆動するようになっている。レバー２５を放すと、圧縮コイルばね２９の付勢力により弁棒２８がレバー２５側に向かって移動してレバー２５を押し、レバー２５をグリップ２３から離すのに伴い、スイッチ３５の操作部３８から押圧部３７が離れ、モータの駆動が停止する。
【０００７】
したがって、レバー２５を握ると、スイッチ３５の操作部３８が押されて、モータが駆動してポンプが作動するとともに、弁２７が薬液通路２６を開放して、ポンプから圧送された薬液等が噴霧ノズル管２１のノズル２４から噴霧されるようになっている。一方、レバー２６を放すと、圧縮コイルばね２９の付勢力により、弁棒２８がレバー２５側に向かって移動して、レバー２５をグリップ２３から離すように押すことにより、操作部３８から押圧部３７が離れ、モータの駆動が停止してポンプの作動が停止するとともに、弁２７が薬液通路２６を閉塞するようになっている。
【０００８】
スイッチ３５と噴霧機本体７のモータとを接続している電線３６の一端部は、ホース３２のホース継手３１に挿入されている部分に、バンド４１により固定されている。電線３６の他端部は、噴霧機本体７においてホース３２にバンドにより固定されている。
ホース３２および電線３６は、可撓性の管状のホースカバー４５内に挿入されており、これらのホース３２、電線３６およびホースカバー４５により噴霧ホース１８が構成されている。
【０００９】
【特許文献１】
実公平７−５１１６９号公報
【００１０】
【発明が解決しようとする課題】
しかしながら、このような従来の噴霧機にあっては、噴霧機本体７を手で持ちながら、噴霧作業を行うだけでなく、噴霧機を野菜畑等の作業場所まで運んだ後、噴霧機本体７を地面において、ノズル噴霧管２１を用いて噴霧作業を行うこともある。そして、このような作業のときに、ノズル噴霧管２１を手で持ち、噴霧ホース１８を引っ張って、噴霧機本体７を引き寄せる場合がある。そうすると、ホース３２がゴム等の弾性材からなる一方、電線３６が銅線等からなるので、引っ張り荷重を電線３６が受けることになる。このことが度重なると、電線３６が断線したり、電線３６が端子から抜けたりする虞がある。
【００１１】
本発明は、上記事情に鑑みて為されたもので、噴霧ノズル管と噴霧機本体のポンプとを接続するホースと、噴霧ノズル管のスイッチと噴霧機本体のモータとを接続する電線とが一体的に束ねられている噴霧機において、電線が損傷するのを防止することができる噴霧機を提供することを目的とする。
【００１２】
【課題を解決するための手段】
上記目的を達成するために、請求項１に記載の噴霧機は、薬剤タンク（１）とこの薬剤タンク（１）の薬液を圧送するポンプとこのポンプを駆動するモータとこのモータの電源としての電池とを含む噴霧機本体（７）と、前記ポンプから圧送された薬液を噴霧する噴霧ノズル管（２１）と、この噴霧ノズル管（２１）と前記ポンプとを接続するホース（３２）と、前記噴霧ノズル管（２１）に設けられ前記モータの駆動を入り切りするスイッチ（３５）と、このスイッチ（３５）と前記モータとを接続する電線（３６）とを備え、前記ホース（３２）と前記電線（３６）とが一体的に束ねられている噴霧機であって、前記噴霧機本体（７）と前記噴霧ノズル管（２１）との間に、線状部材（５１）が前記ホース（３２）および前記電線（３６）と一体的に束ねられかつ前記ホース（３２）および前記電線（３６）より短い長さに設けられていることを特徴とする。
【００１３】
請求項１に記載の発明においては、薬剤タンクに薬液等を入れた後、噴霧機を野菜畑等の作業場所まで運んだ後、噴霧機本体を地面において、ノズル噴霧管を用いて噴霧作業を行う。そして、このような作業のときに、ノズル噴霧管を手で持ち、一体的に束ねられたホース、電線および線状部材を引っ張って、噴霧機本体を引き寄せる場合がある。そのような場合に、線状部材がホースおよび電線よりも短いので、線状部材が引っ張り荷重を受け、電線に荷重がかからないため、電線が損傷するのを防止することができる。
【００１４】
請求項２に記載の噴霧機は、請求項１に記載の発明において、前記ホース（３２）、前記電線（３６）および前記線状部材（５１）は、管状のホースカバー（４５）内に格納されていることを特徴とする。
【００１５】
請求項２に記載の発明においては、線状部材が管状のホースカバー内に格納されているので、線状部材が作業の邪魔にならない。
【００１６】
請求項３に記載の噴霧機は、請求項１または請求項２に記載の発明において、前記線状部材（５１）は、前記噴霧機本体（７）に自由に動けるように連結されていることを特徴とする。
【００１７】
請求項３に記載の発明においては、線状部材が噴霧機本体に自由に動けるように連結されているので、一体的に束ねられたホース、電線および線状部材を振り動かしたときに、これらの動きに追従して線状部材の噴霧機本体への連結部が動くため、取り扱い易い。
【００１８】
なお、上記における括弧内の符号は、図面において対応する要素を便宜的に表記したものであり、したがって本発明は図面上の記載に限定されるものではない。これは、「特許請求の範囲」の欄の記載についても同様である。
【００１９】
【発明の実施の形態】
以下、本発明の実施の形態を図面を参照して説明する。
図１乃至図４は、本発明の実施の形態に係る噴霧機を示す図であって、図１はノズル噴霧管のグリップ部および噴霧ホースを示す断面図であり、図２は正面図であり、図３は側面図であり、図４はワイヤの噴霧機本体の連結部を示す断面図である。なお、本発明は、噴霧機の噴霧ホース部に特徴があり、その他の構成および作用は前述した従来の構成および作用と同様であるため、以下においては、本発明の特徴部分についてのみ言及し、それ以外の部分については、図５乃至図７と同一符号を付してその詳細な説明を省略することにする。
【００２０】
本実施の形態に係る噴霧機では、噴霧ホース１８のホースカバー４５内にワイヤ（線状部材）５１が挿入されている。このワイヤ５１の一端部は、ホース３２のホース継手３１に挿入されている部分に、電線３６の一端部とともに、バンド４１により固定されている。ワイヤ５１の先端の膨出部５１ａは、バンド４１よりもグリップ２３先端側に位置されて、ワイヤ５１がバンド４１からグリップ２３の後端側に抜け出ないようにされている。
【００２１】
また、噴霧機本体７の薬剤タンク１のブラケット１４側の側面の下端部に設けられている耳環（取付部）５３に、取付金具５５が自由に動けるように取り付けられ、この取付金具５５に、電線３６の他端部が連結されている。このことをさらに詳細に説明すると、取付金具５５は断面形状がコ字状に形成されており、この取付金具５５の腕部５６、５６間に耳環５３が十分な隙間を持って挿入され、腕部５６、５６の貫通孔にボルト６１が挿通されるとともに、耳環５３の貫通孔にボルト６１が十分な隙間を持って挿通され、ボルト６１とナット（ダブルナット）６２、６２により取付金具５５が耳環５３に固定されている。ワイヤ５１の他端部は、取付金具５５に移動自在に挿通され、先端の膨出部５１ｂにより取付金具５５から抜け出ないようにされている。ワイヤ５１は、噴霧機本体７の近くにおいて、ホースカバー４５から外部に出されて、上述のように、耳環５３に取付金具５５を介してその端部が取り付けられている。
ワイヤ５１の長さは、電線３６およびホース３２の長さよりも短く設定されている。
【００２２】
このように構成された噴霧機にあっては、薬剤タンク１に薬液等を入れた後、噴霧機を野菜畑等の作業場所まで運んだ後、噴霧機本体７を地面において、ノズル噴霧管２１を用いて噴霧作業を行う。そして、このような作業のときに、ノズル噴霧管２１のグリップ２３を手で持ち、噴霧ホース１８を引っ張って、噴霧機本体７を引き寄せる場合がある。そのような場合に、ワイヤ５１がホース３２および電線３６よりも短いので、ワイヤ５１が引っ張り荷重を受け、電線３６に荷重がかからないため、電線３６が断線したり、電線３６が端子から抜けたりするのを防止することができる。
【００２３】
また、ワイヤ５１が噴霧機本体７近くの一部を除く大部分が、可撓性の管状のホースカバー４５内に格納されているので、ワイヤ５１が作業の邪魔にならず、作業性が良い。
さらに、電線３６の端部が連結された取付金具５５が、薬剤タンク１の耳環５３に自由に動けるように取り付けられているので、噴霧ホース１８を振り動かした場合に、取付金具５５が噴霧ホース１８の動きに追従して動くため、噴霧ホース１８を取り扱い易い。
【００２４】
なお、上述の実施の形態では、ホース３２、電線３６およびワイヤ５１がホースカバー４５内に格納されて、これらのホース３２、電線３６およびワイヤ５１が一体的に束ねられていたが、これに代えて、これらのホース３２、電線３６およびワイヤ（線状部材）５１を他の方法で一体的に束ねるようにしてもよい。例えば、これらを紐やベルト等で括るようにしてもよい。
【００２５】
【発明の効果】
以上説明したように、請求項１に記載の噴霧機によれば、ノズル噴霧管を手で持ち、一体的に束ねられたホース、電線および線状部材を引っ張って、噴霧機本体を引き寄せるときに、線状部材が引っ張り荷重を受け、電線に荷重がかからないので、電線が損傷するのを防止することができる。
【００２６】
請求項２に記載の噴霧機によれば、線状部材を管状のホースカバー内に格納しているで、線状部材が作業の邪魔にならず、作業性が良い。
【００２７】
請求項３に記載の噴霧機によれば、一体的に束ねられたホース、電線および線状部材を振り動かしたときに、これらの動きに追従して線状部材の噴霧機本体への連結部が動くので、作業性が良い。
【図面の簡単な説明】
【図１】本発明の実施の形態に係る噴霧機を示す図であって、ノズル噴霧管のグリップ部および噴霧ホースを示す断面図である。
【図２】同、正面図である。
【図３】同、側面図である。
【図４】同、ワイヤの噴霧機本体の連結部を示す断面図である。
【図５】従来の噴霧機を示す正面図である。
【図６】同、側面図である。
【図７】同、ノズル噴霧管のグリップ部および噴霧ホースを示す断面図である。
【符号の説明】
１    薬剤タンク
７    噴霧機本体
２１    噴霧ノズル管
３２    ホース
３５    スイッチ
３６    電線
４５    ホースカバー
５１    ワイヤ（線状部材）
【図１】
2004267883.tif 000003
【図２】
2004267883.tif 000004
【図３】
2004267883.tif 000005
【図４】
2004267883.tif 000006
【図５】
2004267883.tif 000007
【図６】
2004267883.tif 000008
【図７】
2004267883.tif 000009